【手続補正書】
【提出日】平成20年1月11日(2008.1.11)
【手続補正１】
【補正対象書類名】明細書
【補正対象項目名】特許請求の範囲
【補正方法】変更
【補正の内容】
【特許請求の範囲】
【請求項１】  哺乳動物を産生する方法であって、該方法は、以下：
ａ．哺乳動物種の雄から精子細胞を収集する工程；
ｂ．カテーテルに協調性の粘性を有する培地を利用して、人工授精サンプルを確立する工程；
ｃ．該人工授精サンプルをカテーテルに配置する工程；
ｄ．該哺乳動物種の雌が適切に授精する時期を決定する工程；
ｅ．光学要素を、該哺乳動物種の雌に膣内挿入する工程；
ｆ．該カテーテルを、該哺乳動物種の雌に膣内挿入する工程；
ｇ．該光学要素および該カテーテルを、該哺乳動物種の雌の膣を介して導く工程；
ｈ．子宮卵管接合部を、該哺乳動物種の雌内で光学的に位置確認する工程；
ｉ．該カテーテルを、該哺乳動物種の雌内の該子宮卵管接合部の近傍に位置づけする工程；
ｊ．該人工授精サンプルの少なくとも一部を、該カテーテルから押し出す工程；
ｋ．該人工授精サンプルの少なくとも一部を、該哺乳動物種の雌内の子宮卵管接合部の近位に置く工程；
ｌ．該光学要素および該カテーテルを、該哺乳動物種の雌から引き出す工程；
ｍ．該哺乳動物種の雌の卵を受精させる工程；
ｎ．該受精した卵から子孫哺乳動物を産生する工程、
を包含する、方法。
【請求項２】  前記配置する工程が、前記カテーテルに少数の精子を配置する工程を包含する、請求項１に記載の方法。
【請求項３】  前記哺乳動物種の雌の卵を受精させる工程が、従来の子宮体人工授精プロセスに統計的に匹敵する成功レベルで該哺乳動物種の雌の卵を受精させる工程を包含する、請求項１〜２のいずれか１項に記載の方法。
【請求項４】  請求項５８に記載の哺乳動物の産生方法であって、前記収集した精子細胞の少なくともいくらかを凍結する工程および該凍結した収集精子細胞の少なくともいくらかを解凍する工程をさらに包含する、方法。
【請求項５】  前記確立する工程が、前記収集した精子細胞からの新鮮な精子を用いて人工授精サンプルを確立する工程をさらに包含する、請求項１〜４のいずれか１項に記載の方法。
【請求項６】  前記確立する工程は、選別された性特異的人工授精サンプルを確立する工程をさらに包含し、前記配置する工程は、カテーテル内に該選別された性特異的人工授精サンプルを配置する工程をさらに包含し、前記押し出す工程は、該カテーテルから、該選別された性特異的人工授精サンプルの少なくとも一部を押し出す工程をさらに包含し、前記置く工程は、前記哺乳動物種の雌の子宮卵管接合部の近傍に、該選別された性特異的人工授精サンプルの少なくとも一部を置く工程をさらに包含する、請求項１〜５のいずれか１項に記載の方法。
【請求項７】  授精標本において前記収集した精子細胞の特徴を一時的に実質的に保持する工程、前記哺乳動物種の雌の発情時期を決定する工程、およびおよそ該発情時期に人工授精サンプルを確立するために、該授精標本の特性を変更する工程、をさらに包含する、請求項１〜６のいずれか１項に記載の方法。
【請求項８】  前記収集する工程が、哺乳動物種の雄から精巣上体精子細胞を収集する工程をさらに包含する、請求項１〜７のいずれか１項に記載の方法。
【請求項９】  請求項１〜８のいずれか１項に記載の方法であって、前記カテーテルから押し出された前記人工授精サンプルの少なくとも一部を吸引して、吸引された授精サンプルを作製する工程をさらに包含する、方法。
【請求項１０】  請求項１〜９のいずれか１項に記載の方法であって、前記収集された精子細胞から、授精する可能性の高そうな望ましい精子を選択する工程をさらに包含し、前記確立する工程は、該受精に望ましい精子を使用して、人工授精サンプルを確立する工程をさらに包含する、方法。
【請求項１１】  前記哺乳動物種の雌内の子宮卵管接合部の近傍の表面下に前記カテーテルを挿入する工程をさらに包含し、前記押し出す工程は、該哺乳動物種の雌内の子宮卵管接合部の近傍の表面下で該カテーテルから前記人工授精サンプルの少なくとも一部を押し出す工程をさらに包含し、そして前記置く工程は、該哺乳動物種の雌内の該子宮卵管接合部の近傍の該表面下に該人工授精サンプルの少なくとも一部を置く工程をさらに包含する、請求項１〜１０のいずれか１項に記載の方法。
【請求項１２】  カテーテルに前記人工授精サンプルを配置する工程が、前記カテーテルに少数の精子を配置する工程をさらに包含する、請求項１〜１２のいずれか１項に記載の方法。
【請求項１３】  前記カテーテルに少数の精子を配置する工程が、以下：約１０，０００，０００未満の精子、約５，０００，０００個未満の精子、約２，０００，０００個未満の精子、約１，０００，０００個未満の精子、約５００，０００個未満の精子、および約１００，０００個未満の精子からなる群より選択される数の精子を配置する工程をさらに包含する、請求項１２に記載の方法。
【請求項１４】  前記哺乳動物種の雌の卵を受精させる工程は、従来の子宮体人工授精プロセスに統計的に匹敵する成功レベルで該哺乳動物種の雌の卵を受精させる工程をさらに包含し、該成功レベルが、以下：少なくとも約７５％の成功率、少なくとも約６５％の成功率、少なくとも約６０％の成功率、少なくとも約５０％の成功率、少なくとも約４５％の成功率、およびその種についての従来の人工授精の少なくとも約９０％、からなる群より選択される、請求項１〜１３のいずれか１項に記載の方法。
【請求項１５】  前記哺乳動物種の雌の卵を受精させる工程が、従来の子宮体人工授精プロセスに統計的に匹敵する成功レベルで該哺乳動物種の雌の卵を受精させる工程をさらに包含し、該成功レベルは、以下：
少なくとも約０．０５以上の統計的Ｐ値を有する従来の子宮体人工授精プロセスに統計的に匹敵する成功レベルで該哺乳動物種の雌の卵を受精させること、
少なくとも約０．０５以上の統計的Ｐ値を有する５００，０００，０００個のウマ精子サンプルを用いる従来の子宮体人工授精プロセスに統計的に匹敵する成功レベルで該哺乳動物種の雌の卵を受精させること、
少なくとも約８０％以上の統計的β値を有する従来の子宮体人工授精プロセスに統計的に匹敵する成功レベルで該哺乳動物種の雌の卵を受精させること、
少なくとも約０．０５以上の統計的Ｐ値および少なくとも約８０％以上の統計的β値を有する従来の子宮体人工授精プロセスに統計的に匹敵する成功レベルで該哺乳動物種の雌の卵を受精させること、
からなる群より決定される、請求項１〜１４のいずれか１項に記載の方法。
【請求項１６】  前記哺乳動物種の雄から精子細胞を収集する工程が、ウシ、ウマ、またはブタからなる群より選択される哺乳動物種の雄から精子細胞を収集する工程をさらに包含する、請求項１〜１５のいずれか１項に記載の方法。
【請求項１７】  人工授精サンプルを確立する工程が、スキムミルク媒体を使用する工程をさらに包含する、請求項１〜１６のいずれか１項に記載の方法。
【請求項１８】  人工授精サンプルを確立する工程が、ＴＡＬＰ培地、ＨＥＰＥＳ緩衝化タイロード培地、およびアンドロヘップ培地からなる群から選択される媒体を使用する工程をさらに包含する、請求項１〜１７のいずれか１項に記載の方法。
【請求項１９】  前記カテーテルに協調性の粘性を有する媒体を利用する工程が、前記哺乳動物の血液よりも高い粘性を有する人工受精サンプルを作製する媒体を利用する工程をさらに包含する、請求項１〜１８のいずれか１項に記載の方法。
【請求項２０】  前記カテーテルに協調性の粘性を有する媒体を利用する工程が、生理食塩水よりも高い粘性を有する人工受精サンプルを作製する媒体を利用する工程をさらに包含する、請求項１〜１９のいずれか１項に記載の方法。
【請求項２１】  請求項１〜２０のいずれか１項に記載の方法であって、前記カテーテルに協調性の粘性を有する媒体を利用する工程が、哺乳動物のほぼ平均体温において、それぞれ、約１００ｃｐより高い粘性を有する媒体；約３００ｃｐより高い粘性を有する媒体；約１０００ｃｐより高い粘性を有する媒体；約３０００ｃｐより高い粘性を有する媒体；および約６０００ｃｐより高い粘性を有する媒体からなる群から選択される媒体を利用する工程をさらに包含する、方法。
【請求項２２】  請求項１〜２１のいずれか１項に記載の方法であって、前記人工授精サンプルを確立する工程は、子宮鏡に適合性の媒体を使用して、人工授精サンプルを確立する工程をさらに包含する、方法。
【請求項２３】  前記精子細胞を凍結する工程をさらに包含する、請求項１〜２２のいずれか１項に記載の方法。
【請求項２４】  請求項１〜２３のいずれか１項に記載の方法であって、前記授精のために子宮鏡を用いる授精に適合性の容量を決定する工程をさらに包含し、前記確立する工程は、該子宮鏡を用いる授精に適合性の容量で人工授精サンプルを確立する工程をさらに包含する、方法。
【請求項２５】  請求項７に記載の方法であって、前記授精標本の特性を変更する工程を開始して、前記哺乳動物種の雌について適切に受精することが決定された時期付近で、発情期付近にある人工授精サンプルを確立する工程をさらに包含する、方法。
【請求項２６】  請求項２５に記載の方法であって、前記授精標本の特性を変更する工程を開始して、前記哺乳動物種の雌について適切に受精することが決定された時期付近で、発情期付近にある人工授精サンプルを確立する工程が、以下：該哺乳動物種の雌について適切に受精すること決定された該時期の約２４時間以内、該哺乳動物種の雌について適切に受精すること決定された該時期の約１２時間以内、該哺乳動物種の雌について適切に受精すること決定された該時期の約８時間以内、該哺乳動物種の雌について適切に受精すること決定された該時期の約３時間以内、該哺乳動物種の雌について適切に受精すること決定された該時期の約１時間以内、からなる群から選択される時間内で、該授精標本の特性を変更する工程を開始する工程を包含する、方法。
【請求項２７】  前記授精標本中の前記精子細胞の特性を一時的に実質的に保持する工程が、該精子細胞を凍結する工程を包含し、そしてここで、およそ前記発情時期に人工授精サンプルを確立するために、該授精標本の属性を変更する工程が、およそ該発情期に該授精標本を解凍する工程を包含する、請求項７に記載の哺乳動物を産生する方法。
【請求項２８】  前記哺乳動物種の雌の発情時期を決定する工程が、該哺乳動物種の雌における発情を誘導する工程を包含する、請求項７に記載の方法。
【請求項２９】  前記哺乳動物種の雌における発情を誘導する工程が、以下：
ａ．該哺乳動物種の雌を、プロゲスタゲンの処置に約１０日間毎日供する工程；および
ｂ．該哺乳動物種の雌を、プロゲスタゲンの処置に約１０日間毎日供する工程を達成するほぼ１０日目に、該哺乳動物種の雌を、クロプロステノールの処置に少なくとも１回供する工程、
を包含する、請求項２８に記載の方法。
【請求項３０】  前記哺乳動物種の雌内の前記子宮卵管接合部の近傍に前記吸引された人工授精サンプルの少なくとも一部を置く工程が、該哺乳動物種の雌内の該子宮卵管接合部の陰窩内に該吸引された人工授精サンプルの少なくとも一部を置く工程を包含する、請求項９に記載の哺乳動物を産生する方法。
【請求項３１】  請求項１〜３０のいずれか１項に記載の方法であって、前記哺乳動物種の雌内の子宮卵管接合部の近位の表面に対する前記精子の付着を促進させる工程をさらに包含する、方法。
【請求項３２】  請求項３１に記載の方法であって、前記哺乳動物種の雌内の子宮卵管接合部の近位の表面に対する前記精子の付着を促進させる工程が、前記人工授精サンプルの少なくとも一部からフロスを作製する工程を包含する、方法。
【請求項３３】  請求項１〜３２のいずれか１項に記載の方法であって、前記人工授精サンプルの少なくとも一部からフロスを作製する工程をさらに包含する、方法。
【請求項３４】  前記人工授精サンプルを確立する工程が、前記精子細胞を希釈する工程をさらに包含する、請求項１〜３３のいずれか１項に記載の方法。
【請求項３５】  前記精子細胞を希釈する工程が、２：１未満の比への該精子細胞の希釈、５：１未満の比への該精子細胞の希釈、１０：１未満の比への該精子細胞の希釈、スキムミルク媒体を用いた希釈、ＴＡＬＰ媒体を用いた希釈、ＨＥＰＥＳ緩衝タイロード媒体を用いた希釈、およびアンドロヘップ媒体を用いた希釈からなる群より選択される、該精子細胞を希釈する工程を包含する、請求項３４に記載の方法。
【請求項３６】  前記人工授精サンプルを確立する工程が、ほぼ室温に前記授精標本を冷却する工程をさらに包含する、請求項１〜３５のいずれか１項に記載の方法。
【請求項３７】  前記授精する可能性の高そうな望ましい精子を選択する工程が、前記哺乳動物種の雄から収集されたより運動性の精子を濃縮する工程を包含する、請求項１０に記載の方法。
【請求項３８】  前記哺乳動物種の雄から収集されたより運動性の精子を濃縮する工程が、Ｐｅｒｃｏｌｌ勾配を通じて該精子を遠心分離する工程を包含する、請求項３７に記載の方法。
【請求項３９】  前記Ｐｅｒｃｏｌｌ勾配を通じて前記精子を遠心分離する工程が、９０：４５％のＰｅｒｃｏｌｌ勾配を用いる工程を包含する、請求項３８に記載の方法。
【請求項４０】  前記Ｐｅｒｃｏｌｌ勾配を通じて前記精子を遠心分離する工程が、以下：
ａ．約２００ｇで約５分間、該Ｐｅｒｃｏｌｌ勾配を通じて該精子を遠心分離する工程；および
ｂ．約８００ｇで約１０分間、該Ｐｅｒｃｏｌｌ勾配を通じて該精子を遠心分離する工程、
をさらに包含する、請求項３８または３９に記載の方法。
【請求項４１】  前記哺乳動物種の雄から収集されたより運動性の精子を濃縮する工程が、該精子の濃度を出発濃度の約２倍未満に限定する工程を包含する、請求項３７に記載の方法。
【請求項４２】  前記人工授精サンプルを確立する工程が、約３０μｌと約１５０μｌとの間、約５００μｌ未満、約２３０μｌ未満、および約１００μｌからなる群より選択される容量の授精標本を確立する工程をさらに包含する、請求項１〜４１のいずれか１項に記載の方法。
【請求項４３】  請求項１〜４２のいずれか１項に記載の方法であって、前記光学要素およびカテーテルを哺乳動物種の雌の膣を通して導く工程が、以下：
ａ．該光学要素および該カテーテルを、該哺乳動物種の雌の頸部を通して導く工程；
ｂ．該光学要素および該カテーテルを、該哺乳動物種の雌の管腔を通して導く工程；および
ｃ．該光学要素および該カテーテルを、該哺乳動物種の雌の子宮角を通して導く工程、
を包含する、方法。
【請求項４４】  請求項４３に記載の方法であって、前記光学要素およびカテーテルを哺乳動物種の雌の頸部を通して導く工程が、該光学要素および該カテーテルを、該哺乳動物種の雌の頸部を通して手動で導く工程を包含し、前記光学要素およびカテーテルを哺乳動物種の雌の管腔を通して導く前記工程が、該光学要素および該カテーテルを、該哺乳動物種の雌の管腔を通して手動で導く工程を包含する、方法。
【請求項４５】  請求項１〜４４のいずれか１項に記載の方法であって、照射要素を前記光学要素の付近に挿入する工程をさらに包含する、方法。
【請求項４６】  請求項４５に記載の方法であって、前記照射要素をストロボする工程をさらに包含する、方法。
【請求項４７】  請求項４３に記載の方法であって、前記光学要素およびカテーテルを哺乳動物種の雌の子宮角を通して導く工程が、該光学要素および該カテーテルを、該哺乳動物種の雌の子宮角を通して、光学的に導く工程を包含する、方法。
【請求項４８】  請求項１〜４７のいずれか１項に記載の方法であって、前記哺乳動物種の雌における優性な卵胞を決定する工程をさらに包含する、方法。
【請求項４９】  請求項４８に記載の方法であって、少なくとも約３５ｍｍのサイズの排卵前の卵胞を観察する工程をさらに包含する、方法。
【請求項５０】  請求項１〜４９のいずれか１項に記載の方法であって、ここで、前記カテーテルを哺乳動物種の雌内の子宮卵管接合部の近傍に位置づけする工程が、以下：
ａ．該子宮卵管接合部の約３〜５ｃｍ以内に該カテーテルを配置する工程；次いで
ｂ．該カテーテルを該子宮卵管接合部に接触させる工程、を包含する、方法。
【請求項５１】  請求項１〜５０のいずれか１項に記載の方法であって、前記哺乳動物種の雌の子宮に濾過空気を導く工程をさらに包含する、方法。
【請求項５２】  請求項１〜５１のいずれか１項に記載の方法であって、前記哺乳動物種の雌の子宮から空気を抜く工程をさらに包含する、方法。
【請求項５３】  添付の図面を参照して本明細書で実質的に記載される哺乳動物を産生する方法。
【請求項５４】  添付の図面を参照して本明細書で実質的に記載される方法によって産生される哺乳動物。
【請求項５５】  添付の図面を参照して本明細書で実質的に記載されるプロセスを利用して産生される動物。